(57)【要約】【課題】  設置スペースをより効率化することが可能な大型のディスプレイを実現すること。【解決手段】  表示装置１は、視聴基準点と、表示パネル４０ａ，４０ｂの位置とに基づいて、マッピングコントローラ２０が、表示対象である映像の部分映像およびその変形態様を決定する。そして、表示体コントローラ３０ａ，３０ｂが、各部分映像に対して変形を行い、表示パネル４０ａ，４０ｂに表示する。そのため、仮想表示領域では、表示パネル４０ａ，４０ｂの位置関係に関わらず、歪みのない映像が表示されることとなる。したがって、大型のディスプレイを室内に置く場合のように、限られた設置スペースに表示装置１を置く場合にも、表示パネル４０ａ，４０ｂを、平面的でなく、一定の相対的な角度をもたせて設置することができるため、大型ディスプレイの設置スペースをより効率化することが可能となる。【選択図】  図７
2005115069.tif 000002
【特許請求の範囲】
【請求項１】
映像の表示領域が形成される表示媒体を含み、該表示領域を複数集合させることによって、より大型の表示領域からなる表示画面に映像を表示することが可能な表示装置であって、
複数の前記表示媒体相互を所定の接続態様で接続することにより、前記表示画面を構成可能な表示手段と、
前記表示画面を見る視点として設定された基準点の位置と、複数の前記表示媒体相互の接続態様とに基づいて、表示対象である映像を、前記表示画面に表示された場合に前記基準点から見て歪みのない補正映像に補正する補正手段と、
を含み、
前記表示手段は、前記表示画面に前記補正映像を表示することを特徴とする表示装置。
【請求項２】
前記表示領域は、前記表示媒体において略平面状に形成され、
該表示領域が曲折的に接続されることにより、前記表示画面が構成されていることを特徴とする請求項１記載の表示装置。
【請求項３】
前記補正手段は、
前記表示対象である映像のうち、前記表示領域それぞれが表示する部分映像を取得する部分映像取得手段と、
前記表示領域において表示される部分映像を、前記表示画面に表示された場合に前記基準点から見て歪みのない状態に変形する変形手段と、
を含むことを特徴とする請求項１または２記載の表示装置。
【請求項４】
複数の前記表示媒体相互の位置関係を検出する検出手段をさらに含み、検出された位置関係に基づいて、該複数の前記表示媒体相互の接続態様を把握可能であることを特徴とする請求項１から３のいずれか１項に記載の表示装置。
【請求項５】
前記基準点は、前記表示手段に対し、視聴者が存在すると想定される所定位置に設定されていることを特徴とする請求項１から４のいずれか１項に記載の表示装置。
【請求項６】
前記基準点を設定するための設定手段をさらに含むことを特徴とする請求項１から５のいずれか１項に記載の表示装置。
【請求項７】
前記表示媒体は、所定のディスプレイによって構成され、該ディスプレイが表示画面を表示することにより、前記表示領域が形成されることを特徴とする請求項１から６のいずれか１項に記載の表示装置。
【請求項８】
前記表示媒体は、スクリーンによって構成され、所定のプロジェクタが該スクリーンに映像を投影することにより、前記表示領域が形成されることを特徴とする請求項１から６のいずれか１項に記載の表示装置。
【発明の詳細な説明】
【技術分野】
【０００１】
本発明は、複数の表示画面によって表示対象である一つの映像を表示可能な表示装置に関する。
【背景技術】
【０００２】
近年、大型の表示画面を有するディスプレイ（以下、「大型ディスプレイ」と言う。）に対する需要が高まりつつあり、その表示画面は、さらに大型化する傾向にある。
このような従来の大型ディスプレイは、一つの大型の表示画面を有しており、その表示画面によって表示対象である映像全体を表示している。
そのため、表示画面の大型化に伴い、大型ディスプレイを設置するためには、より広いスペースが必要となっている。
【０００３】
ここで、大型ディスプレイの設置スペースに関する問題を解決する技術として、特開２００２−２１８３５８号公報に記載された技術が知られている。
特開２００２−２１８３５８号公報に記載された技術は、大型ディスプレイのスタンドにスピーカを内蔵することにより、表示画面の左右にスピーカを設置する場合に比べ、省スペース化を図るものである。
【特許文献１】特開２００２−２１８３５８号公報
【発明の開示】
【発明が解決しようとする課題】
【０００４】
しかしながら、本号公報に記載された技術においては、表示画面の大きさに比例した設置スペースが必要となることから、表示画面自体がさらに大型化した場合に生じる設置スペース上の問題を解決することが困難であった。
本発明の課題は、設置スペースをより効率化することが可能な大型のディスプレイを実現することである。
【課題を解決するための手段】
【０００５】
以上の課題を解決するため、本発明は、
映像の表示領域が形成される表示媒体（例えば、図１の表示パネル４０ａあるいは表示パネル４０ｂ、図９の表示パネル１４０ａ，１４０ｂ）を含み、該表示領域を複数集合させることによって、より大型の表示領域からなる表示画面に映像を表示することが可能な表示装置であって、複数の前記表示媒体相互を所定の接続態様（例えば、図１に示すように、蝶番により見開き状に接続する態様）で接続することにより、前記表示画面を構成可能な表示手段（例えば、１つの表示画面を構成する表示パネル４０ａ，４０ｂあるいは表示パネル１４０ａ，１４０ｂ）と、前記表示画面を見る視点として設定された基準点（例えば、発明を実施するための最良の形態中の「視聴基準点」）の位置と、複数の前記表示媒体相互の接続態様とに基づいて、表示対象である映像を、前記表示画面に表示された場合に前記基準点から見て歪みのない補正映像に補正する補正手段（例えば、図２のマッピングコントローラ２０および表示体コントローラ３０ａ，３０ｂ、図９のマッピングコントローラ１２０および表示体コントローラ１３０ａ，１３０ｂ）とを含み、前記表示手段は、前記表示画面に前記補正映像を表示することを特徴としている。
【０００６】
このような構成により、表示媒体を複数集合させて、より大型の表示画面を構成することができると共に、その接続態様に対応させて、基準点から見て歪みのない映像を表示画面に表示させることが可能となる。即ち、限られた設置スペースに、平面的でなく、一定の相対的な角度をもたせて、ディスプレイ等の表示媒体設置することができるため、表示媒体の設置スペースをより効率化することが可能となる。さらに、より小型の表示領域を有する複数の表示媒体によって、より大型の表示画面を構成することができるため、特に、表示媒体が所定のディスプレイによって構成されている場合、単一の表示画面で同一サイズを実現する場合に比べ、製造時の歩留を上げることができる。
【０００７】
また、前記表示領域は、前記表示媒体において略平面状に形成され、該表示領域が曲折的に接続されることにより、前記表示画面が構成されていることを特徴としている。
即ち、表示媒体上に略平面状に構成された表示領域相互が、見開き状あるいは屏風のような形態で接続される。
このような構成により、一般的に用いられているフラットな画面を備えるディスプレイや、プロジェクタによって映像が投影されるスクリーン等を用いて、その表示領域の一辺を接続することにより、大型の表示画面を構成することが可能となる。
【０００８】
また、前記補正手段は、前記表示対象である映像のうち、前記表示領域それぞれが表示する部分映像を取得する部分映像取得手段（例えば、図２のマッピング部２２、図９のマッピング部１２２）と、前記表示領域において表示される部分映像を、前記表示画面に表示された場合に前記基準点から見て歪みのない状態に変形する変形手段（例えば、図２の変形部３２ａ，３２ｂ、図９の変形部１２５）とを含むことを特徴としている。
【０００９】
このような構成により、各表示領域に表示された映像を全体として基準点から見た場合に、歪みのない状態とすることが可能となる。
また、本発明は、複数の前記表示媒体相互の位置関係を検出する検出手段（例えば、図２の設置条件認識部１０、図９の設置条件認識部１１０）をさらに含み、検出された位置関係に基づいて、該複数の前記表示媒体相互の接続態様を把握可能であることを特徴としている。
【００１０】
このような構成により、複数の表示媒体相互の接続態様を容易に把握することが可能となる。
また前記基準点は、前記表示手段に対し、視聴者が存在すると想定される所定位置（例えば、表示画面中央にある表示媒体の接続部分において、角の二等分線上であって、表示媒体から所定距離の位置等）に設定されていることを特徴としている。
【００１１】
このような構成により、視聴者が存在すると考えられる一定の位置が基準点とされるため、視聴者は、基準点を自ら設定することが不要となる。
また、前記基準点を設定するための設定手段をさらに含むことを特徴としている。
このような構成により、視聴者は、自らの視聴位置に合わせて、正確に基準点を設定することが可能となる。
【００１２】
また、前記表示媒体は、所定のディスプレイによって構成され、該ディスプレイが表示画面を表示することにより、前記表示領域が形成されることを特徴としている。
このような構成により、所定のディスプレイを複数接続することによって、設置スペースの効率化を図りつつ、より大型の表示画面を構成することが可能となる。
また、前記表示媒体は、スクリーンによって構成され、所定のプロジェクタが該スクリーンに映像を投影することにより、前記表示領域が形成されることを特徴としている。
【００１３】
このような構成により、スクリーンを複数接続し、そのスクリーンにプロジェクタによって映像を投影することにより、設置スペースの効率化を図りつつ、より大型の表示画面を構成することが可能となる。
このように、本発明によれば、設置スペースをより効率化することが可能な大型のディスプレイを実現することが可能となる。
【発明を実施するための最良の形態】
【００１４】
以下、図を参照して本発明に係る表示装置の実施の形態を説明する。
本発明に係る表示装置は、複数の表示装置が接続されることによって構成され、その複数の表示装置が備える表示画面によって、見かけ上、一つの大型の表示画面が形成される。そして、複数の表示装置が平面的に並んで接続されていない場合にも、見かけ上の大型の表示画面に歪みのない映像を表示することを可能とする装置である。
（第１の実施の形態）
まず、構成を説明する。
【００１５】
図１は、本発明の第１の実施の形態に係る表示装置１の外観構成を示す図である。
また、図２は、表示装置１の機能構成を示すブロック図である。
図１および図２において、表示装置１は、設置条件認識部１０と、マッピングコントローラ２０と、表示体コントローラ３０ａ，３０ｂと、表示パネル４０ａ，４０ｂとを含んで構成される。
【００１６】
設置条件認識部１０は、表示パネル４０ａ，４０ｂの位置を認識する機能を有している。例えば、設置条件認識部１０は、ＧＰＳ（Global Positioning System）等、位置を認識することが可能な無線通信システムを利用したり、表示パネル４０ａ，４０ｂの連結角度を検出したりすることにより、表示パネル４０ａ，４０ｂの位置を認識することが可能である。
【００１７】
そして、設置条件認識部１０は、表示パネル４０ａ，４０ｂの位置を示す情報（以下、「パネル位置情報」と言う。）をマッピングコントローラ２０に出力する。
マッピングコントローラ２０は、設置条件認識部１０から入力されたパネル位置情報と、設定されている視聴者の視点（以下、「視聴基準点」と言う。）とに基づいて、仮想表示領域の空間的な位置範囲を特定する。仮想表示領域とは、視聴基準点から表示パネル４０ａ，４０ｂの表示画面を全体として見た場合の見かけの表示画面である。そして、マッピングコントローラ２０は、仮想表示領域において、各表示パネルが映像を表示する領域（以下、「部分領域」と言う。）を算出する。
【００１８】
また、マッピングコントローラ２０は、パネル位置情報および視聴基準点に基づいて、各部分領域に表示される映像（以下、「部分映像」と言う。）の変形すべき態様を算出（歪み補正処理）する。このとき、マッピングコントローラ２０は、台形補正等を用いることにより、視聴基準点から表示パネル４０ａ，４０ｂを見た場合に、表示パネル４０ａ，４０ｂの表示画面の傾きに起因する歪みを補正するように部分映像を変形する。即ち、仮想表示領域に表示される映像が歪みのない映像となるように補正が行われる。
【００１９】
なお、マッピングコントローラ２０は、設定されている視聴基準点およびパネル位置情報を所定のメモリに記憶しておき、これらが変更された場合には、メモリ内のデータを順次書き換えることが可能である。
具体的には、マッピングコントローラ２０は、仮想表示領域生成部２１と、マッピング部２２と、ＶＲＡＭ（Video Random Access Memory）２３とを含んで構成される。
【００２０】
仮想表示領域生成部２１は、後述するマッピング方法に従い、パネル位置情報および視聴基準点に基づいて、仮想表示領域の空間的な位置範囲を特定する。この仮想表示領域は、視聴基準点と表示パネル４０ａ，４０ｂの見かけの画角の中央とを結ぶ直線を想定し、その直線を法線とする平面上に特定される（図３参照）。
マッピング部２２は、パネル位置情報および視聴基準点に基づいて、仮想表示領域生成部２１によって特定された仮想表示領域に、表示パネル４０ａ，４０ｂそれぞれの表示画面を射影し、仮想表示領域において、表示パネル４０ａ，４０ｂそれぞれが表示する領域（部分領域）を算出する。仮想表示領域には、表示対象である映像全体が表示されることから、部分領域が算出されることにより部分映像も決定される。
【００２１】
そして、マッピング部２２は、算出した部分領域の位置範囲を示す情報（以下、「部分位置情報」と言う。）を、表示パネル４０ａ，４０ｂそれぞれに対応する表示体コントローラ３０ａ，３０ｂに出力する。
また、マッピング部２２は、パネル位置情報および視聴基準点に基づいて、各表示パネルに割り当てた部分映像の変形態様を算出し、変形態様を示すデータ（以下、「変形パラメータ」と言う。）を表示体コントローラ３０ａ，３０ｂそれぞれに出力する。
【００２２】
なお、部分映像の伸長等を行うことにより、明るさに変化が生ずることから、部分映像を変形態様に応じた明るさに調整することとしても良い。即ち、マッピング部２２が部分映像の変形態様を算出する際に、変形態様に応じて、部分映像の明るさの補正値を算出することが可能である。
ＶＲＡＭ２３は、表示装置１に入力された映像を一時的に記憶し、記憶している映像を表示体コントローラ３０ａ，３０ｂそれぞれに出力する。
【００２３】
次に、表示体コントローラ３０ａ，３０ｂについて説明する。
なお、表示体コントローラ３０ａ，３０ｂは、同様の構成であるため、表示体コントローラ３０ａについてのみ説明し、表示体コントローラ３０ｂについては説明を省略する。
表示体コントローラ３０ａは、マッピング部２２のＶＲＡＭ２３から入力された映像に対し、表示パネル４０ａが表示する部分映像を変形パラメータに基づいて変形し、表示パネル４０ａに表示させる。
【００２４】
具体的には、表示体コントローラ３０ａは、クリッピング部３１ａと、変形部３２ａと、ＶＲＡＭ３３ａと、表示コントローラ３４ａとを含んで構成される。
クリッピング部３１ａは、マッピング部２２から入力される部分位置情報に基づいて、ＶＲＡＭ２３から入力された映像のうち、表示パネル４０ａの部分映像に該当する部分を判別する。そして、クリッピング部３１ａは、判別して得られた部分映像を変形部３２ａに出力する。
【００２５】
変形部３２ａは、マッピング部２２から入力される変形パラメータに基づいて、クリッピング部３１ａから入力される部分映像を変形し、ＶＲＡＭ３３ａに出力する。
ＶＲＡＭ３３ａは、変形部３２ａから入力された変形後の部分映像を一時的に記憶し、記憶している部分映像を表示コントローラ３４ａに出力する。
表示コントローラ３４ａは、表示パネル４０ａに表示するデータの入出力を制御するものであり、ＶＲＡＭ３３ａから入力される部分映像を表示パネル４０ａに出力する。
【００２６】
表示パネル４０ａは、例えばＣＲＴ（Cathode Ray Tube）、プラズマディスプレイあるいは液晶ディスプレイ等からなる大型の表示装置によって構成され、表示コントローラ３４ａから入力される部分映像を表示する。また、表示パネル４０ａは、左右一方の側面において表示パネル４０ｂと接続されており、表示パネル４０ａ，４０ｂの表示画面それぞれは、一体となって一つの表示画面を構成することが可能である。
【００２７】
また、表示パネル４０ａ，４０ｂは、接続部分を軸に相対的な角度を調節可能に構成されている。
表示パネル４０ａ，４０ｂ相互を接続する方法としては、蝶番によって接続することや、引き戸式にスライド可能な接続とすること等が可能である。蝶番によって表示パネル４０ａ，４０ｂを接続する場合、接続部分に可変コンデンサあるいは可変抵抗を組み込むことにより、表示パネル４０ａ，４０ｂ相互の位置関係（相対角度）を検出することが可能である。
【００２８】
次に、マッピングコントローラ２０におけるマッピング方法について説明する。
マッピングコントローラ２０は、以下に説明するマッピング方法に従って、視聴基準点から表示パネル４０ａ，４０ｂを見た場合の仮想表示領域を想定し、その仮想表示領域に歪みのない映像をマッピングする。
図３は、マッピングコントローラ２０におけるマッピング方法を示す説明図である。なお、図３は、表示パネル４０ａ，４０ｂを直上から見た模式図として示されている。
【００２９】
図３において、表示パネル４０ａ，４０ｂは、角度θで接続されており、点Ｏが視聴基準点に設定されている。
表示パネル４０ａの左端を点Ａ、表示パネル４０ｂの右端を点Ｂ、表示パネル４０ａ，４０ｂの接続点を点Ｃとすると、∠ＡＣＢおよび点Ａ，Ｂの位置は設置条件認識部１０によって認識される。なお、ここでは、∠ＡＣＢ＝θとする。
【００３０】
このような条件の下、仮想表示領域における部分領域と、それぞれの部分領域に表示する部分映像を表示パネル４０ａ，４０ｂがどのように表示するか（変形態様）が把握されれば良い。
仮想表示領域は、視聴基準点から表示パネル４０ａ，４０ｂまでの間であれば、いずれの位置に想定することとしても良いが、説明を簡単とするため、ここでは、ＯＡベクトルおよびＯＢベクトルそれぞれの方向において、単位ベクトルの終点（それぞれ点Ａ’Ｂ’とする）同士を結んだ線分（Ａ’Ｂ’）るものとする。
【００３１】
すると、仮想表示領域において、表示パネル４０ａ，４０ｂの接続点Ｃに対応する点Ｃ’は、以下のように求められる。
まず、仮想表示領域の中点を点Ｍとすると、
【００３２】
【数１】
2005115069.tif 000003
【００３３】
したがって、
【００３４】
【数２】
2005115069.tif 000004
【００３５】
即ち、仮想表示領域（線分Ａ’Ｂ’）において、表示パネル４０ａ，４０ｂに対応する部分領域が得られる。
また、これらの部分領域に表示する部分映像は、表示対象である映像をＡ’Ｃ’：Ｃ’Ｂ’の比に分割し、分割された映像それぞれを表示パネル４０ａ，４０ｂの幅（ＡＣ，ＣＢ）に伸長することによって得られる。
【００３６】
次に、動作を説明する。
図４は、マッピングコントローラ２０が実行するマッピング処理を示すフローチャートである。
マッピング処理は、表示装置１の稼働と共に開始され、表示装置１において映像が表示されている場合に、常時実行されている。
【００３７】
図４において、マッピング処理が開始されると、マッピングコントローラ２０は、入力されている映像信号が、フレームの境界であるか否かの判定を行い（ステップＳ１）、フレームの境界でないと判定した場合、ステップＳ１の処理を繰り返す。
一方、ステップＳ１において、入力されている映像信号が、フレームの境界であると判定した場合、マッピングコントローラ２０は、表示パネル４０ａ，４０ｂそれぞれについて、部分位置情報および変形パラメータ（以下、これらを合わせて「射影座標情報」と言う。）を更新する（ステップＳ２）。具体的には、ステップＳ９において記憶された新たな射影座標情報を、それを表示体コントローラ３０ａ，３０ｂそれぞれに出力する。
【００３８】
ステップＳ２の後、マッピングコントローラ２０は、設置条件認識部１０からパネル位置情報を取得し（ステップＳ３）、表示パネル４０ａ，４０ｂの位置に従前から変化があったか否かの判定を行う（ステップＳ４）。
ステップＳ４において、表示パネル４０ａ，４０ｂの位置に変化がなかったと判定した場合、マッピングコントローラ２０は、ステップＳ１の処理に戻る。
【００３９】
一方、ステップＳ４において、表示パネル４０ａ，４０ｂの位置に変化があったと判定した場合、マッピングコントローラ２０は、設定されているパネル位置情報をステップＳ３において取得したパネル位置情報に更新し（ステップＳ５）、仮想表示領域を新たに特定する（ステップＳ６）。
そして、マッピングコントローラ２０は、新たに特定した仮想表示領域の空間的な位置範囲を記憶し（ステップＳ７）、表示パネル４０ａ，４０ｂの表示画面を仮想表示領域に射影して、射影座標情報を取得する（ステップＳ８）。
【００４０】
そして、マッピングコントローラ２０は、取得した射影座標情報を所定のメモリに記憶し（ステップＳ９）、ステップＳ１の処理に移行する。
なお、上述のマッピング処理において、ステップＳ５において更新されたパネル位置情報は、以後のループにおいて、ステップＳ４で参照され、ステップＳ９において記憶された射影座標情報は、ステップＳ２における更新に使用される。
【００４１】
次に、マッピングコントローラ２０が表示体コントローラ３０ａ，３０ｂに射影座標情報を送信する処理（射影座標送信処理）について説明する。
図５は、マッピングコントローラ２０が実行する射影座標送信処理を示すフローチャートである。
射影座標送信処理は、マッピング処理のステップＳ２において、射影座標情報を更新する際に実行される。
【００４２】
図５において、射影座標送信処理が開始されると、マッピングコントローラ２０は、アドレス順に入力される映像要素（画素）の座標をカウントし（ステップＳ１０１）、処理対象である映像要素のアドレスが、フレームの先頭アドレスであるか否かを判定する（ステップＳ１０２）。なお、入力された映像は、ＶＲＡＭ２３に記憶される。
ステップＳ１０２において、処理対象である映像要素のアドレスが、フレームの先頭アドレスであると判定した場合、マッピングコントローラ２０は、所定のメモリから射影座標情報を取得し（ステップＳ１０３）、表示体コントローラ３０ａ，３０ｂそれぞれに対し、対応する射影座標情報を出力する（ステップＳ１０４）。
【００４３】
一方、ステップＳ１０２において、処理対象である映像要素のアドレスが、フレームの先頭アドレスでないと判定した場合、マッピングコントローラ２０は、ステップＳ１０５の処理に移行する。
次に、マッピングコントローラ２０は、ＶＲＡＭ２３から処理対象である映像要素を取得し（ステップＳ１０５）、対応する表示体コントローラ３０ａ，３０ｂに出力する（ステップＳ１０６）。
【００４４】
そして、マッピングコントローラ２０は、ステップＳ１０１の処理に移行する。
次に、表示体コントローラ３０ａが部分映像を取得し、変形する処理（映像調整処理）について説明する。
図６は、表示体コントローラ３０ａが実行する映像調整処理を示すフローチャートである。
【００４５】
映像調整処理は、マッピングコントローラ２０から表示体コントローラ３０ａに処理対象である映像が入力されることに対応して開始される。
図６において、映像調整処理が開始されると、表示体コントローラ３０ａは、アドレス順に入力される映像要素（画素）の座標をカウントし（ステップＳ２０１）、マッピングコントローラ２０から射影座標情報が入力されたか否かの判定を行う（ステップＳ２０２）。
【００４６】
ステップＳ２０２において、マッピングコントローラ２０から射影座標情報が入力されていないと判定した場合、フレームの先頭アドレスの処理ではないため、表示体コントローラ３０ａは、ステップＳ２０５の処理に移行する。
一方、ステップＳ２０２において、マッピングコントローラ２０から射影座標情報が入力されていると判定した場合、フレームの先頭アドレスの処理であることから、表示体コントローラ３０ａは、処理対象とする座標をリセットして先頭座標（ホームポジション）に設定する（ステップＳ２０３）。
【００４７】
次に、表示体コントローラ３０ａは、射影座標情報を所定のメモリに記憶し（ステップＳ２０４）、マッピングコントローラ２０から入力された映像要素を参照する（ステップＳ２０５）。
そして、表示体コントローラ３０ａは、参照した映像要素が、表示パネル４０ａにおいて表示する部分であるか否かの判定を行い（ステップＳ２０６）、表示パネル４０ａにおいて表示する部分でないと判定した場合、ステップＳ２０１の処理に移行する。
【００４８】
一方、ステップＳ２０６において、参照した映像要素が、表示パネル４０ａにおいて表示する部分であると判定した場合、表示体コントローラ３０ａは、変形パラメータに基づいて映像要素の座標を変換し（ステップＳ２０７）、変換後の映像要素をＶＲＡＭ３３ａに記憶する（ステップＳ２０８）。
そして、表示体コントローラ３０ａは、ステップＳ１の処理に移行する。
【００４９】
映像調整処理が実行されることにより、表示パネル４０ａには、変形パラメータによって変形された部分映像が表示され、表示パネル４０ｂにも、同様に、変形パラメータによって変形された部分映像が表示される。
その結果、仮想表示領域には、歪みのない映像が表示されることとなり、表示パネル４０ａ，４０ｂが平面的に接続されていない場合にも、視聴者は、歪みのない映像を見ることが可能となる。
【００５０】
図７は、映像調整処理の処理結果を示す説明図である。
図７において、表示装置１には“ＡＢＣ”の文字を表す映像信号が入力されている。
そして、上述のように部分映像を変形すると、表示パネル４０ａ，４０ｂが平面的でなく所定角度をもって接続されている場合、表示パネル４０ａ，４０ｂそれぞれに表示される部分映像は、仮想表示領域上では、歪みのない映像として表示されている。
【００５１】
一方、映像調整処理が行われない場合、仮想表示領域上で“ＡＢＣ”の文字が歪むこととなり、視聴者は、本来の映像を見ることができない。
以上のように、本実施の形態に係る表示装置１は、視聴者の視点（視聴基準点）と、表示パネル４０ａ，４０ｂの位置とに基づいて、マッピングコントローラ２０が、表示対象である映像の部分映像およびその変形態様を決定する。そして、表示体コントローラ３０ａ，３０ｂが、各部分映像に対して変形を行い、表示パネル４０ａ，４０ｂに表示する。
【００５２】
そのため、視聴者が、視聴基準点から表示パネル４０ａ，４０ｂの表示画面を全体として見た場合の見かけの表示画面（仮想表示領域）では、表示パネル４０ａ，４０ｂの位置関係（相対的な接続角度）に関わらず、歪みのない映像が表示されることとなる。
したがって、大型のディスプレイを室内に置く場合（図８参照）のように、限られた設置スペースに表示装置１を置く場合にも、表示パネル４０ａ，４０ｂを、平面的でなく、一定の相対的な角度をもたせて設置することができるため、大型ディスプレイの設置スペースをより効率化することが可能となる。
【００５３】
さらに、より小型の表示画面を有する複数の表示パネルによって、より大型の表示画面を有する表示装置を構成することができるため、単一の表示画面で同一サイズを実現する場合に比べ、製造不良の発生率を低下させることが可能となり、その結果、大型のディスプレイを製造する際のコストを大幅に低減することが可能となる。
なお、本実施の形態においては、表示パネル４０ａ，４０ｂの２つを連結して一つの表示画面を構成する場合の例について説明したが、表示体コントローラおよび表示パネルを任意の数だけ備え、これらが全体として一つの表示画面を備える構成とすることも可能である。
【００５４】
また、本実施の形態においては、表示パネル４０ａ，４０ｂとして、表示画面を備え、単体で映像を表示可能な装置を想定して説明したが、プロジェクタとスクリーンとによって映像を表示する場合にも、本発明を適用することが可能である。
即ち、複数のスクリーンを接続することにより、一つの大型スクリーンを構成し、スクリーン相互が平面的に接続されていない状態において、スクリーンの位置と、視聴基準点とに基づいて、仮想表示領域を想定し、それぞれのスクリーンに対応する部分映像を決定する。この部分映像は、変形パラメータによって補正が行われているものである。そして、それぞれのスクリーンに対応するプロジェクタが、その部分映像を投影することにより、仮想表示領域においては、歪みのない映像が表示されることとなる。
【００５５】
さらに、本実施の形態において、視聴基準点は、表示パネル４０ａ，４０ｂのなす角の二等分線上における所定距離（視聴時に、視聴者が通常位置すると考えられる距離）に設定したり、リモコン等によって視聴者が自らの位置を表示装置１に通知し、表示装置１がそれを検出したりすることが可能である。
また、本実施の形態におけるマッピング処理では、パネル位置情報を確認することにより、表示パネル４０ａ，４０ｂの位置に変化があったか否かを判定することとして説明したが、設置条件認識部１０が、表示パネル４０ａ，４０ｂの位置に変化があったか否かを示す情報をマッピングコントローラ２０に送信することによって、表示パネル４０ａ，４０ｂ位置の変化を把握することも可能である。
（第２の実施の形態）
次に、本発明の第２の実施の形態について説明する。
【００５６】
まず、構成を説明する。
図９は、本実施の形態に係る表示装置２の機能構成を示すブロック図である。
図９において、表示装置２は、設置条件認識部１１０と、マッピングコントローラ１２０と、表示体コントローラ１３０ａ，１３０ｂと、表示パネル１４０ａ，１４０ｂとを含んで構成される。
【００５７】
また、マッピングコントローラ１２０は、仮想表示領域生成部１２１と、マッピング部１２２と、ＶＲＡＭ１２３と、映像信号分割部１２４と、変形部１２５とを含んで構成される。
さらに、表示体コントローラ１３０ａは、ＶＲＡＭ１３１ａと、表示コントローラ１３２ａとを含んで構成される。なお、表示体コントローラ１３０ｂについても同様の構成である。
【００５８】
以上の構成において、設置条件認識部１１０、仮想表示領域生成部１２１、ＶＲＡＭ１２３，１３１ａ，１３１ｂおよび表示コントローラ１３２ａ，１３２ｂは、図２における設置条件認識部１０、仮想表示領域生成部２１、ＶＲＡＭ２３，３３ａ，３３ｂおよび表示コントローラ３４ａ，３４ｂとそれぞれ同様であるため説明を省略し、異なる部分であるマッピング部１２２、映像信号分割部１２４および変形部１２５についてのみ説明する。
【００５９】
図９において、マッピング部１２２は、パネル位置情報および視聴基準点に基づいて、仮想表示領域生成部１２１によって特定された仮想表示領域に、表示パネル１４０ａ，１４０ｂそれぞれの表示画面を射影し、仮想表示領域において、表示パネル１４０ａ，１４０ｂそれぞれが表示する領域（部分領域）を算出する。仮想表示領域には、表示対象である映像全体が表示されることから、部分領域が算出されることにより部分映像も決定される。
【００６０】
そして、マッピング部１２２は、算出した部分領域の位置範囲を示す部分位置情報を、表示パネル４０ａ，４０ｂそれぞれに対応する表示体コントローラ３０ａ，３０ｂに出力する。
映像信号分割部１２４は、マッピング部１２２によって決定された部分領域に基づいて、ＶＲＡＭ１２３に記憶された映像を、表示パネル１４０ａ，１４０ｂそれぞれが表示する部分映像に分割する。
【００６１】
そして、映像信号分割部１２４は、分割して得られた部分映像を変形部１２５に出力する。
変形部１２５は、パネル位置情報および視聴基準点に基づいて、映像信号分割部１２４から入力された各部分映像を変形し、表示体コントローラ１３０ａ，１３０ｂに出力する。
【００６２】
次に、動作を説明する。
本実施の形態において、マッピングコントローラ１２０は、図４に示すマッピング処理および図５に示す射影座標送信処理に相当する処理を行い、表示体コントローラ１３０ａ，１３０ｂは、図６に示す映像調整処理に相当する処理を行う。
ただし、マッピング処理については、図４に示す場合と同様であるため説明を省略し、射影座標送信処理および映像調整処理についてのみ説明する。
【００６３】
図１０は、マッピングコントローラ１２０が実行する射影座標送信処理を示すフローチャートである。
射影座標送信処理は、マッピング処理のステップＳ２において、射影座標情報を更新する際に実行される。
図１０において、射影座標送信処理が開始されると、マッピングコントローラ１２０は、アドレス順に入力される映像要素（画素）の座標をカウントし（ステップＳ３０１）、ＶＲＡＭ１２３から処理対象である映像要素を取得する（ステップＳ３０２）。なお、ステップＳ３０２においては、ステップＳ３０１においてカウントされた座標が、映像と併せて取得される。
【００６４】
そして、マッピングコントローラ１２０は、変形パラメータに基づいて、処理対象である映像要素の座標を変換し（ステップＳ３０３）、各映像要素に対応する表示体コントローラ１３０ａ，１３０ｂを選択する（ステップＳ３０４）。
続いて、マッピングコントローラ１２０は、選択した表示体コントローラ１３０ａ，１３０ｂに映像要素を出力し（ステップＳ３０５）、ステップＳ３０１の処理に移行する。なお、このとき出力される映像要素には、ステップＳ３０３において変換された座標が併せて出力される。
【００６５】
次に、表示体コントローラ１３０ａが実行する映像調整処理について説明する。
図１１は、表示体コントローラ１３０ａが実行する映像調整処理を示すフローチャートである。
映像調整処理は、マッピングコントローラ１２０から表示体コントローラ１３０ａに処理対象である映像が入力されることに対応して開始される。
【００６６】
図１１において、映像調整処理が開始されると、表示体コントローラ１３０ａは、射影座標送信処理において変換された座標と、処理対象である映像要素（画素）を取得し（ステップＳ４０１）、これらをＶＲＡＭ１３１ａに記憶する（ステップＳ４０２）。
そして、表示体コントローラ１３０ａは、ステップＳ４０１の処理に移行する。
映像調整処理が実行されることにより、第１の実施の形態における場合と同様に、表示パネル１４０ａには、変形パラメータによって変形された部分映像が表示され、表示パネル１４０ｂにも、同様に、変形パラメータによって変形された部分映像が表示される。
【００６７】
その結果、仮想表示領域には、歪みのない映像が表示されることとなり、表示パネル１４０ａ，１４０ｂが平面的に接続されていない場合にも、視聴者は、歪みのない映像を見ることが可能となる。
以上のように、本実施の形態に係る表示装置２は、視聴者の視点（視聴基準点）と、表示パネル１４０ａ，１４０ｂの位置とに基づいて、マッピングコントローラ１２０が、表示対象である映像の部分映像およびその変形態様を決定すると共に、各部分映像に対して変形を行う。そして、表示体コントローラ１３０ａ，１３０ｂが、表示パネル１４０ａ，１４０ｂに表示する。
【００６８】
即ち、マッピングコントローラ１２０における処理によって、本発明に係る主要な処理を行い、表示体コントローラ１３０ａ，１３０ｂとしては、一般的な表示コントローラを用いることにより、第１の実施の形態と同様の効果を奏することが可能となる。
【図面の簡単な説明】
【００６９】
【図１】表示装置１の外観構成を示す図である。
【図２】表示装置１の機能構成を示すブロック図である。
【図３】マッピングコントローラ２０におけるマッピング方法を示す説明図である。
【図４】マッピングコントローラ２０が実行するマッピング処理を示すフローチャートである。
【図５】マッピングコントローラ２０が実行する射影座標送信処理を示すフローチャートである。
【図６】表示体コントローラ３０ａが実行する映像調整処理を示すフローチャートである。
【図７】映像調整処理の処理結果を示す説明図である。
【図８】大型のディスプレイを室内に置く様子を示す図である。
【図９】表示装置２の機能構成を示すブロック図である。
【図１０】マッピングコントローラ１２０が実行する射影座標送信処理を示すフローチャートである。
【図１１】表示体コントローラ１３０ａが実行する映像調整処理を示すフローチャートである。
【符号の説明】
【００７０】
１，２  表示装置、１０，１１０  設置条件認識部、２０，１２０  マッピングコントローラ、２１，１２１  仮想表示領域生成部、２２，１２２  マッピング部、３０ａ，３０ｂ，１３０ａ，１３０ｂ  表示体コントローラ、３１ａ  クリッピング部、３２ａ，１２５  変形部、２３，３３ａ，３３ｂ，１２３，１３１ａ，１３１ｂ  ＶＲＡＭ、３４ａ，３４ｂ，１３２ａ，１３２ｂ  表示コントローラ、４０ａ，４０ｂ，１４０ａ，１４０ｂ  表示パネル、１２４  映像信号分割部
【図１】
2005115069.tif 000005
【図２】
2005115069.tif 000006
【図３】
2005115069.tif 000007
【図４】
2005115069.tif 000008
【図５】
2005115069.tif 000009
【図６】
2005115069.tif 000010
【図７】
2005115069.tif 000011
【図８】
2005115069.tif 000012
【図９】
2005115069.tif 000013
【図１０】
2005115069.tif 000014
【図１１】
2005115069.tif 000015